(57)【要約】【課題】商用電力で駆動される機器に電力供給する太陽電池システムにおいてエネルギーの損失の低減を図る。【解決手段】太陽電池ユニット（12）でＥＤＬＣ（16）を充電する充電状態（S1）と、太陽電池ユニット（12）及びＥＤＬＣ（16）の出力を昇圧ユニット（14）に接続する放電状態（S2）との切換を行う切換手段（17a）を設ける。太陽電池ユニット（12）からインバータ（213）に到る電流経路上において電流値（Id）を検出する電流検出部（18）を設け、電流値（Id）が閾値（Th）よりも小さい場合に切換手段（17a）を充電状態（S1）に制御する。【選択図】図２
2015163000.tif 000002
【特許請求の範囲】
【請求項１】
商用電源（30）から供給される交流電力を直流電力に変換するコンバータ（211）と、該コンバータ（211）の出力を交流電力に変換して負荷（M）に供給するインバータ（213）とを備えた電力変換装置（210）に電力を供給する太陽電池システムにおいて、
太陽光を受けて直流電力を発電する太陽電池ユニット（12）と、
電気二重層キャパシタ（16）と、
上記太陽電池ユニット（12）及び上記電気二重層キャパシタ（16）の直流電力を昇圧して上記インバータ（213）に供給する昇圧ユニット（14）と、
上記太陽電池ユニット（12）から上記電気二重層キャパシタ（16）に充電する充電状態（S1）と、上記太陽電池ユニット（12）及び上記電気二重層キャパシタ（16）の出力を上記昇圧ユニット（14）に接続する放電状態（S2）との切換を行う切換手段（17a）と、
上記太陽電池ユニット（12）から上記切換手段（17a）及び上記昇圧ユニット（14）を経由して上記インバータ（213）に到る電流経路上において、電流値（Id）を検出する電流検出部（18）と、
上記電流値（Id）が所定の閾値（Th）よりも小さい場合に上記切換手段（17a）を上記充電状態（S1）に制御する制御部（19）とを備えたことを特徴とする太陽電池システム。
【請求項２】
請求項１において、
上記制御部（19）は、上記切換手段（17a）を上記充電状態（S1）に切り換えた後は、定期的に上記電流値（Id）を確認し、該電流値（Id）が上記閾値（Th）を超えた場合には、上記切換手段（17a）を上記放電状態（S2）に切り換えることを特徴とする太陽電池システム。
【請求項３】
請求項２において、
上記電流検出部（18）は、上記切換手段（17a）と上記昇圧ユニット（14）との間の電流経路上に設けられ、
上記制御部（19）は、上記切換手段（17a）を上記充電状態（S1）に切り換えた後は、上記電流検出部（18）に上記電流値（Id）を検出させるために、上記切換手段（17a）を定期的に上記放電状態（S2）に戻すことを特徴とする太陽電池システム。
【請求項４】
請求項１から請求項３の何れかにおいて、
上記制御部（19）は、上記電気二重層キャパシタ（16）が満充電状態の場合には、上記閾値（Th）に基づく切り換えに優先して、上記切換手段（17a）を上記放電状態（S2）に切り換えることを特徴とする太陽電池システム。
【発明の詳細な説明】
【技術分野】
【０００１】
本発明は、商用電力で駆動される機器を電力アシストする太陽電池システムに関するものである。
【背景技術】
【０００２】
空気調和機では、コンバータとインバータを備えた電力変換装置が用いられることが多い。このような電力変換装置は、商用電源から供給された交流電力（商用電力）を交流電力に再変換し、当該再変換した交流電力で圧縮機のモータなどの負荷を駆動する。
【０００３】
また、家庭やオフィスには、省エネルギー等を目的として、太陽光を利用して太陽光発電（Photovoltaics:ＰＶ）を行う発電装置（ＰＶユニットとも呼ぶ）が導入されつつある。太陽光発電は出力電圧変動が小さいという特徴を持つので、電力変換装置のコンバータとインバータとの接続点である直流リンク部に、太陽光発電の電力を直流給電すれば、電力変換装置を電力アシストすることができる。
【０００４】
一方、太陽光発電は、日射量によって発電電力が大きく変わるというデメリットがある。そのため、太陽光発電には日射量の変化に対して常に最大電力を取り出すためのＭＰＰＴ（Maximum Power Point Tracking）制御が必要であり、ＭＰＰＴ制御のできるＤＣ／ＤＣコンバータを経由して負荷に電力供給するのが一般的である。
【０００５】
また、太陽光発電の発電電力の変動を補償するためにＥＤＬＣ（Electric Double Layer Capacitor：電気二重層キャパシタ）などの蓄電デバイスが併用されることがある（例えば、特許文献１参照）。
【先行技術文献】
【特許文献】
【０００６】
【特許文献１】特開２００２−２７２０１５号公報
【発明の概要】
【発明が解決しようとする課題】
【０００７】
しかしながら、ＤＣ／ＤＣコンバータを通過する電力が小さいとき（太陽光発電の発電電力が比較的小さいとき）には、ＤＣ／ＤＣコンバータの損失が増大しがちであり、発電したエネルギーを有効に利用できていない。
【０００８】
本発明は上記の問題に着目してなされたものであり、商用電力で駆動される機器に電力供給する太陽電池システムにおいて、発電したエネルギーの損失の低減を図ることを目的としている。
【課題を解決するための手段】
【０００９】
上記の課題を解決するため、第１の発明は、
商用電源（30）から供給される交流電力を直流電力に変換するコンバータ（211）と、該コンバータ（211）の出力を交流電力に変換して負荷（M）に供給するインバータ（213）とを備えた電力変換装置（210）に電力を供給する太陽電池システムにおいて、
太陽光を受けて直流電力を発電する太陽電池ユニット（12）と、
電気二重層キャパシタ（16）と、
上記太陽電池ユニット（12）及び上記電気二重層キャパシタ（16）の直流電力を昇圧して上記インバータ（213）に供給する昇圧ユニット（14）と、
上記太陽電池ユニット（12）から上記電気二重層キャパシタ（16）に充電する充電状態（S1）と、上記太陽電池ユニット（12）及び上記電気二重層キャパシタ（16）の出力を上記昇圧ユニット（14）に接続する放電状態（S2）との切換を行う切換手段（17a）と、
上記太陽電池ユニット（12）から上記切換手段（17a）及び上記昇圧ユニット（14）を経由して上記インバータ（213）に到る電流経路上において、電流値（Id）を検出する電流検出部（18）と、
上記電流値（Id）が所定の閾値（Th）よりも小さい場合に上記切換手段（17a）を上記充電状態（S1）に制御する制御部（19）とを備えたことを特徴とする。
【００１０】
この構成では、太陽電池ユニット（12）から切換手段（17a）及び昇圧ユニット（14）を経由してインバータ（213）に到る電流経路上における電流値を指標として、昇圧ユニット（14）を通過する電力の大きさが評価される。そして、電流値（Id）が所定の閾値（Th）よりも小さい場合、すなわち、昇圧ユニット（14）を通過する電力が所定値よりも小さい場合には、電気二重層キャパシタ（16）が充電される。
【００１１】
また、第２の発明は、
第１の発明において、
上記制御部（19）は、上記切換手段（17a）を上記充電状態（S1）に切り換えた後は、定期的に上記電流値（Id）を確認し、該電流値（Id）が上記閾値（Th）を超えた場合には、上記切換手段（17a）を上記放電状態（S2）に切り換えることを特徴とする。
【００１２】
この構成では、昇圧ユニット（14）を通過する電力を大きくできる場合に、太陽電池ユニット（12）を利用したＤＣ給電が再開される。
【００１３】
また、第３の発明は、
第２の発明において、
上記電流検出部（18）は、上記切換手段（17a）と上記昇圧ユニット（14）との間の電流経路上に設けられ、
上記制御部（19）は、上記切換手段（17a）を上記充電状態（S1）に切り換えた後は、上記電流検出部（18）に上記電流値（Id）を検出させるために、上記切換手段（17a）を定期的に上記放電状態（S2）に戻すことを特徴とする。
【００１４】
また、第４の発明は、
第１から第３の発明の何れかにおいて、
上記制御部（19）は、上記電気二重層キャパシタ（16）が満充電状態の場合には、上記閾値（Th）に基づく切り換えに優先して、上記切換手段（17a）を上記放電状態（S2）に切り換えることを特徴とする。
【００１５】
この構成では、電気二重層キャパシタ（16）への充電が不要の場合には、電気二重層キャパシタ（16）の電力が利用される。
【発明の効果】
【００１６】
第１の発明によれば、商用電力で駆動される機器に電力供給する太陽電池システムにおいて、発電したエネルギーの損失の低減を図ることが可能になる。
【００１７】
また、第２の発明や第３の発明によれば、昇圧ユニット（14）を通過する電力を大きくできる場合に太陽電池ユニット（12）を利用したＤＣ給電が再開されるので、効率よく昇圧ユニット（14）を動作させることが可能になる。
【００１８】
また、第４の発明によれば、電気二重層キャパシタ（16）の電力が無駄なく利用されて、システム全体の効率が向上する。
【図面の簡単な説明】
【００１９】
【図１】図１は、本発明の実施形態１に係る太陽電池システムを備えた空気調和システムを示す。
【図２】図２は、空気調和システムの電力系統を示す。
【図３】図３は、昇圧ユニットの負荷率に対する変換効率を例示する。
【図４】図４は、太陽光発電における出力電力と日射強度との関係を例示する。
【図５】図５は、実施形態２に係る空気調和システム電力系統を示す。
【図６】図６は、実施形態３に係る空気調和システムの電力系統を示す。
【発明を実施するための形態】
【００２０】
以下、本発明の実施形態について図面を参照しながら説明する。なお、以下の実施形態は、本質的に好ましい例示であって、本発明、その適用物、あるいはその用途の範囲を制限することを意図するものではない。
【００２１】
《発明の実施形態１》
図１は、本発明の実施形態１に係る太陽電池システム（10）を備えた空気調和システム（1）を示す。空気調和システム（1）は、太陽電池システム（10）に加え、空気調和機（20）を備えている。
【００２２】
〈空気調和機〉
空気調和機（20）は商用電源（30）から供給された交流電力（商用電力）で駆動される。太陽電池システム（10）は太陽光を受けて発電し、その発電電力を空気調和機（20）にＤＣ給電することで空気調和機（20）を電力アシストする。
【００２３】
空気調和機（20）は、室内に設置される室内ユニット（21）と、室外に設定される室外ユニット（22）とを備えている。室内ユニット（21）と室外ユニット（22）とが連絡配管（23,23）によって互いに接続されることにより、冷媒回路が構成されている。
【００２４】
室内ユニット（21）は、室内熱交換器（201）、室内ファン（202）、及び室内膨張弁（203）を含んでいる。室内熱交換器（201）は、室内ファン（202）によって室内空気が送風される。これにより、室内熱交換器（201）では、伝熱管の内部を流れる冷媒と室内空気との間で熱交換が行われる。室内膨張弁（203）は、例えば、電子膨張弁によって構成されている。
【００２５】
室外ユニット（22）は、室外熱交換器（204）、室外ファン（205）、室外膨張弁（206）、圧縮機（207）、四方切換弁（208）、及び電力変換装置（210）を含んでいる。室外熱交換器（204）は、室外ファン（205）によって室外空気が送風される。これにより、室外熱交換器（204）では、伝熱管の内部を流れる冷媒と室外空気との間で熱交換が行われる。室外膨張弁（206）は、例えば、電子膨張弁によって構成されている。
【００２６】
圧縮機（207）は、モータ（M）を有している。例えば、圧縮機（207）は、スクロール圧縮機などの回転式圧縮機によって構成されている。
【００２７】
四方切換弁（208）は、第１から第４までの４つのポートを有し、冷媒回路の冷媒の循環方向を切り換えるように構成されている。四方切換弁（208）は、冷房運転時に第１ポートと第２ポートを連通させ且つ第３ポートと第４ポートを連通させる状態（図１の実線で示す状態）となり、暖房運転時に第１ポートと第３ポートを連通させ且つ第２ポートと第４ポートとを連通させる状態（図１の破線で示す状態）となる。
【００２８】
−電力変換装置（210）−
電力変換装置（210）は、商用電力を所望の出力交流電力に変換して圧縮機（207）のモータ（M）に供給することにより、モータ（M）を駆動する。この例では、商用電力は単相交流電力、出力交流電力は三相交流電力である。なお、商用電力は三相交流電力であってもよい。業務用の空気調和機（20）では動力源として２００Ｖの三相交流電力を用いることがある。
【００２９】
図２は、空気調和システム（1）の電力系統を示す。図２に示すように、電力変換装置（210）は、コンバータ（211）とインバータ（213）とを備えている。コンバータ（211）は、商用電源（30）から供給される交流電力を直流電力に変換（ＡＣ／ＤＣ変換）して出力する。例えば、コンバータ（211）は、ダイオードブリッジ回路で実現できる。
【００３０】
インバータ（213）は、コンバータ（211）から出力される直流電力をスイッチング動作によって交流電力に変換（ＤＣ／ＡＣ変換）して負荷（図１に示したモータ（M））に供給する。例えば、インバータ（213）は、ブリッジ接続された複数のスイッチング素子を用いて構成できる。
【００３１】
また、コンバータ（211）とインバータ（213）との接続ノードである直流リンク部（212）に平滑コンデンサ（C）が設けられている。平滑コンデンサ（C）は、コンバータ（211）の出力を平滑化して直流リンク電圧を生成する。例えば、平滑コンデンサ（C）は、電解コンデンサによって構成できる。
【００３２】
〈太陽電池システム〉
図２に示すように、太陽電池システム（10）は、太陽電池ユニット（12）（図中ではＰＶと略記）、昇圧ユニット（14）、電気二重層キャパシタ（16）（以下、ＥＤＬＣとも呼ぶ）、スイッチ部（17）、電流検出部（18）、及び制御部（19）を含んでいる。
【００３３】
太陽電池ユニット（12）は、家屋の屋根やビルの屋上などに設けられ、太陽光を受けて直流電力を発電する。太陽電池ユニット（12）からは、いわゆるＭＰＰＴ制御された直流電力が出力される。
【００３４】
昇圧ユニット（14）は、いわゆるＤＣ／ＤＣコンバータであり、供給される直流電力を昇圧（ＤＣ／ＤＣ変換）して電力変換装置（210）の直流リンク部（212）に供給する。すなわち、昇圧ユニット（14）は直流リンク部（212）にＤＣ給電することで電力変換装置（210）を電力アシストする。
【００３５】
昇圧ユニット（14）には、太陽電池ユニット（12）及びＥＤＬＣ（16）から直流電力が供給される。すなわち、ＥＤＬＣ（16）の放電用のＤＣ／ＤＣコンバータとしても昇圧ユニット（14）を用いる。一般的な、太陽光発電用の昇圧ユニットは、最大で４倍程度の昇圧比を有するため、昇圧ユニット（14）はＥＤＬＣ（16）の放電電圧を昇圧するのに十分な能力を有している。
【００３６】
−スイッチ部（17）−
スイッチ部（17）は、スイッチ（17a）とダイオード（17b）を備えている。スイッチ（17a）は、太陽電池ユニット（12）からＥＤＬＣ（16）に充電する充電状態（S1）と、太陽電池ユニット（12）及びＥＤＬＣ（16）の出力を昇圧ユニット（14）に接続する放電状態（S2）との切換を行う。この例では、スイッチ（17a）の可動接点が太陽電池ユニット（12）の出力に接続されている。スイッチ（17a）の一方の固定接点には、ＥＤＬＣ（16）の出力が接続され、もう一方の固定接点は、昇圧ユニット（14）の入力に接続されている。スイッチ（17a）には、例えば、直流電路切り替え用のリレー装置を採用できる。
【００３７】
スイッチ（17a）の可動接点がＥＤＬＣ（16）側の固定接点に切り換えられると、太陽電池ユニット（12）がＥＤＬＣ（16）に接続されて、ＥＤＬＣ（16）が充電される。すなわちスイッチ（17a）は充電状態（S1）である。また、スイッチ（17a）の可動接点が昇圧ユニット（14）側の固定接点に切り換えられると、太陽電池ユニット（12）及びＥＤＬＣ（16）の出力が昇圧ユニット（14）に接続される。すなわちスイッチ（17a）は、放電状態（S2）である。これにより、昇圧ユニット（14）は、太陽電池ユニット（12）及びＥＤＬＣ（16）から直流電力が供給される。すなわち、スイッチ（17a）は、本発明の切換手段の一例である。
【００３８】
ダイオード（17b）は、カソードが太陽電池ユニット（12）の出力に接続されるとともに、アノードがＥＤＬＣ（16）の出力に接続されている。このダイオード（17b）は、放電状態（S2）において、電流の逆流（太陽電池ユニット（12）からＥＤＬＣ（16）への流れ）を防止する。
【００３９】
−電流検出部（18）−
電流検出部（18）は、太陽電池ユニット（12）からスイッチ（17a）及び昇圧ユニット（14）を経由してインバータ（213）に到る電流経路上において、当該電流経路を流れる直流電流の電流値（Id）を検出する。この例では、電流検出部（18）は、スイッチ（17a）と昇圧ユニット（14）との間に設けられている。電流検出部（18）には、例えば、直流カレント・トランス（DCCT）を採用できる。電流検出部（18）の検出値は、制御部（19）に入力されている。
【００４０】
−制御部（19）−
制御部（19）は、スイッチ（17a）の切換を行う。制御部（19）には、マイクロコンピュータと、それを動作させるプログラムを格納したメモリを設ける。また、制御部（19）には、電流検出部（18）の検出信号を増幅する増幅回路や、当該増幅回路の出力と閾値（後述）とを比較するコンパレータ、スイッチ（17a）を構成するリレーを駆動するドライバー回路も設ける。
【００４１】
〈スイッチ（17a）の制御〉
制御部（19）は、昇圧ユニット（14）を通過する電力の大きさに応じて、スイッチ（17a）を切り換える。詳しくは、昇圧ユニット（14）の通過する直流電力が所定値よりも小さい場合にはＥＤＬＣ（16）が充電され、当該直流電力が所定値を上回る場合には、太陽電池ユニット（12）とＥＤＬＣ（16）からインバータ（213）のＤＣ給電を行わせる。
【００４２】
具体的に、この例では、太陽電池ユニット（12）からスイッチ（17a）及び昇圧ユニット（14）を経由してインバータ（213）に到る電流経路上における電流値を指標として昇圧ユニット（14）を通過する電力の大きさを評価する。そのため、制御部（19）は、定期的に電流検出部（18）の検出値（電流値（Id））をモニターし、所定の閾値（Th）との比較を行う。そして、制御部（19）は、電流検出部（18）が検出した電流値（Id）が、閾値（Th）よりも小さい場合にスイッチ（17a）を充電状態（S1）に制御する。すなわち、太陽電池ユニット（12）の電力でＥＤＬＣ（16）を充電する。
【００４３】
また、制御部（19）は、スイッチ（17a）を充電状態（S1）に切り換えた後は、定期的に電流値（Id）を確認し、電流値（Id）が閾値（Th）を超えた場合には、スイッチ（17a）を放電状態（S2）に戻して、太陽電池ユニット（12）及びＥＤＬＣ（16）から昇圧ユニット（14）に直流電力を供給させる。すなわち、ＥＤＬＣ（16）から昇圧ユニット（14）への給電を再開させる。
【００４４】
本実施形態では、スイッチ（17a）を充電状態（S1）に切り換えると、電流検出部（18）に電流が流れなくなり、制御部（19）は、昇圧ユニット（14）を通過する電力を把握できない。そこで、制御部（19）は、定期的にスイッチ（17a）を放電状態（S2）に切り換え、電流検出部（18）に電流の検出を行わせる。これにより、制御部（19）は、電流値（Id）、すなわち昇圧ユニット（14）を通過する電力を把握できる。
【００４５】
〈本実施形態における効果〉
図３は、昇圧ユニット（14）の負荷率（％）に対する変換効率を例示する。ここで、負荷率（％）とは、昇圧ユニット（14）の出力÷昇圧ユニット（14）定格容量×１００である。また、図４は、太陽光発電における出力電力（直流電力）と、日射強度との関係を例示する。一般的に、太陽光発電の出力は日射量に比例する。そのため、太陽電池パネルに対して日射が斜めにあたる朝夕は、太陽電池の発電出力が低下する。すなわち、太陽光発電では、時間帯によって発電出力に差を生ずる。また、冬は夏に比べ、太陽電池パネルへの日射が斜めになるので、冬は夏よりも発電出力が低下する。すなわち、太陽光発電では、季節間でも発電出力に差を生ずる。なお、図３には、夏期の変換効率を例示した。
【００４６】
以下では、本実施形態における昇圧ユニット（14）の損失を試算する。なお、試算の前提として、太陽電池ユニット（12）の仕様は、定格出力１ＫＷ、最大電圧２００Ｖであるものとする。また、昇圧ユニット（14）の変換効率の特性が図３で示されるものとする。また、ＥＤＬＣ（16）の仕様は、定格容量２９．５Ｆ、充放電電圧範囲が２００Ｖ〜１００Ｖであるものとする。そして、この試算では、昇圧ユニット（14）の変換効率を９０％以上に確保することを目標とする。
【００４７】
図３から分かるように、負荷率が２０％以下になると、変換効率は９０％を下回る。そこで、負荷率が２０％以下、すなわち、太陽電池ユニット（12）の出力が定格出力１ＫＷの２０％である０．２ＫＷ以下の場合には、ＥＤＬＣ（16）に充電が行われるように、制御部（19）で使用する閾値（Th）を設定する。
【００４８】
図４に例示した日照条件では、太陽電池ユニット（12）の出力が０．２ＫＷ以下の時間帯が朝に１時間、夕方に１時間あり、例えば、朝の１時間でＥＤＬＣ（16）に充電されるエネルギー量は、１ｈ×２００Ｗ／２＝１００Ｗｈとなる。夕方の１時間でも同様のエネルギー量の充電ができる。
【００４９】
一方、ＥＤＬＣ（16）の仕様が、定格容量２９．５Ｆ、充放電電圧範囲が２００Ｖ〜１００Ｖであるので、ＥＤＬＣ（16）に充放電できるエネルギー量は、（１／２×２９．５×２００×２００−１／２×２９．５×１００×１００）／３６００＝１２３Ｗｈとなる。すなわち、朝の１時間に太陽電池ユニット（12）によって発電された１００Ｗｈのエネルギーを、ＥＤＬＣ（16）において、充放電可能であることが分かる。このようにしてＥＤＬＣ（16）に充電したエネルギー（朝夕を合わせると２００Ｗｈ）は、負荷率が２０％以上となるように放電させることで、昇圧ユニット（14）の変換効率が９０％以上の状態で利用することができる。したがって、この場合の損失は、概ね２００Ｗｈ×１０％＝２０Ｗｈとなる。
【００５０】
一方、本実施形態のような昇圧ユニット（14）の通過電力に基づくスイッチ（17a）の制御を行わないシステム（説明の便宜上、従来システムと呼ぶ）は、朝１時間の１００Ｗｈ、及び夕方１時間の１００Ｗｈは、昇圧ユニット（14）でＤＣ／ＤＣ変換が行われ、この場合の変換効率８０％程度となる推測される（図３参照）。そうすると、従来システムでは、２００Ｗｈ×２０％＝４０Ｗｈが損失となって失われることになる。したがって、本実施形態では、従来システムに比べ、損失を半減することになる。すなわち、商用電力で駆動される機器に電力供給する太陽電池システムにおいて、発電したエネルギーの損失の低減を図ることが可能になる。
【００５１】
《発明の実施形態２》
図５は、実施形態２に係る空気調和システム（1）の電力系統を示す。この例では、電流検出部（18）は、ダイオード（17b）とスイッチ（17a）との接続ノードよりも太陽電池ユニット（12）側で、該太陽電池ユニット（12）の出力と接続されている。本実施形態では、スイッチ（17a）を充電状態（S1）に切り換えた場合にも、電流検出部（18）において電流の検出が可能である。そのため、制御部（19）が定期的に電流値（Id）をモニターする場合に、スイッチ（17a）を切り換える必要はない。
【００５２】
《発明の実施形態３》
図６は、実施形態３に係る空気調和システム（1）の電力系統を示す。この例では、電流検出部（18）は、昇圧ユニット（14）の出力に接続されている。本実施形態では、スイッチ（17a）を充電状態（S1）に切り換えた状態では、電流検出部（18）において電流の検出ができないので、実施形態１の例と同様に、制御部（19）が定期的にスイッチ（17a）を放電状態（S2）に切り換えて電流検出部（18）に電流の検出を行わせることによって、昇圧ユニット（14）を通過する電力を把握すればよい。
【００５３】
《その他の実施形態》
なお、ＥＤＬＣ（16）が満充電状態になった場合には、閾値（Th）に基づく切り換えに優先して、スイッチ（17a）を放電状態（S2）に切り換えるようにしてもよい。すなわち、ＥＤＬＣ（16）が満充電状態になった場合には負荷の大きさに応じて、スイッチ（17a）を強制的に放電状態（S2）に切り換えることで、エネルギーをより効率よく利用することが可能になる。なお、ＥＤＬＣ（16）の電圧を検出すれば、ＥＤＬＣ（16）が満充電状態かどうかを検出できる。
【００５４】
また、太陽電池システム（10）は、空気調和システム以外のシステムにも適用できる。例えば、冷蔵庫、洗濯機、ＩＨ調理器などにも適用可能である。
【産業上の利用可能性】
【００５５】
本発明は、商用電力で駆動される機器を電力アシストする太陽電池システムとして有用である。
【符号の説明】
【００５６】
１０        太陽電池システム
１２        太陽電池ユニット
１４        昇圧ユニット
１６        ＥＤＬＣ（電気二重層キャパシタ）
１７ａ      スイッチ（切換手段）
１８        電流検出部
１９        制御部
３０        商用電源
２１０      電力変換装置
２１１      コンバータ
２１３      インバータ
【図１】
2015163000.tif 000003
【図２】
2015163000.tif 000004
【図３】
2015163000.tif 000005
【図４】
2015163000.tif 000006
【図５】
2015163000.tif 000007
【図６】
2015163000.tif 000008